(57)【要約】【課題】印刷時における機密性と操作性とのバランスを良好に保つセキュア印刷設定用プログラムを提供すること。【解決手段】セキュア印刷設定用プログラムは、情報処理装置の使用者以外の他者が画像形成装置を使用可能であるか否かの他者使用情報を、情報処理装置が外部装置から取得する取得手順（Ｓ１３５）と、使用可能である他者使用情報が取得された場合（Ｓ１４０：ＹＥＳ）、セキュアモードにて画像形成装置を動作させる初期設定で、画像形成装置を制御するドライバを情報処理装置にインストールさせ、使用可能である他者使用情報が取得されない場合（Ｓ１４０：ＮＯ）、通常モードにて画像形成装置を動作させる初期設定で前記ドライバを前記情報処理装置にインストールさせるインストール手順（Ｓ１４５，Ｓ１５０）とを情報処理装置に実行させる。【選択図】図２
2011076462.tif 000002
【特許請求の範囲】
【請求項１】
ユーザ認証に成功すると被記録媒体への画像形成を実行するセキュアモードと前記ユーザ認証を行わずに前記画像形成を実行する通常モードとを有する画像形成装置を、情報処理装置によって制御するためのセキュア印刷設定用プログラムであって、
前記情報処理装置の使用者以外の他者が前記画像形成装置を使用可能であるか否かの他者使用情報を、前記情報処理装置が外部装置から取得する取得手順と、
前記画像形成装置を使用可能であるとの前記他者使用情報が取得された場合、あるいは前記画像形成装置を使用可能でないとの前記他者使用情報が取得されない場合、前記セキュアモードにて前記画像形成装置を動作させる初期設定で、前記画像形成装置を制御するドライバを前記情報処理装置にインストールさせ、前記画像形成装置を使用可能であるとの前記他者使用情報が取得されない場合、あるいは前記画像形成装置を使用可能でないとの前記他者使用情報が取得された場合、前記通常モードにて前記画像形成装置を動作させる初期設定で前記ドライバを前記情報処理装置にインストールさせるインストール手順と、
を前記情報処理装置に実行させるためのセキュア印刷設定用プログラム。
【請求項２】
請求項１に記載のセキュア印刷設定用プログラムにおいて、
前記ドライバのインストール時にインストール済み情報を作成する作成手順を、さらに前記情報処理装置に実行させるセキュア印刷設定用プログラム。
【請求項３】
請求項２に記載のセキュア印刷設定用プログラムにおいて、
前記取得手順は、前記他者使用情報として、前記インストール済み情報を取得する処理を含む、セキュア印刷設定用プログラム。
【請求項４】
請求項２または請求項３に記載のセキュア印刷設定用プログラムにおいて、
画像形成装置に登録させるために、作成したインストール済み情報を画像形成装置へ送信する登録送信手順を、さらに前記情報処理装置に実行させ、
前記取得手順は、前記外部装置としての前記画像形成装置から前記他の情報処理装置のインストール済み情報を取得する処理を含む、セキュア印刷設定用プログラム。
【請求項５】
請求項２から請求項４のいずれか一項に記載のセキュア印刷設定用プログラムにおいて、
前記インストール済み情報が作成された旨を、前記ドライバをインストール済みの他の情報処理装置に報知する報知手順を、さらに前記情報処理装置に実行させるセキュア印刷設定用プログラム。
【請求項６】
請求項５に記載のセキュア印刷設定用プログラムにおいて、
前記報知手順は、前記ドライバがインストール済みの他の情報処理装置が１つである場合、当該他の１つの情報処理装置に、前記インストール済み情報が作成された旨を報知する処理を含む、セキュア印刷設定用プログラム。
【請求項７】
請求項５または請求項６に記載のセキュア印刷設定用プログラムにおいて、
前記インストール済み情報が作成された旨を受信する受信手順と、
前記インストール済み情報の受信後、前記セキュアモードにて前記画像形成装置を動作させる設定を行う設定手順とを、さらに前記情報処理装置に実行させるセキュア印刷設定用プログラム。
【請求項８】
請求項２から請求項７のいずれか一項に記載のセキュア印刷設定用プログラムにおいて、
前記インストール済み情報はセキュリティレベル情報を含み、
前記インストール手順は、他の情報処理装置のセキュリティレベルが自身のセキュリティレベルより低い場合、前記セキュアモードにて前記画像形成装置を動作させる設定で前記ドライバを前記情報処理装置にインストールさせる処理を含む、セキュア印刷設定用プログラム。
【請求項９】
ユーザ認証に成功すると被記録媒体への画像形成を実行するセキュアモードと前記ユーザ認証を行わずに前記画像形成を実行する通常モードとを有する画像形成装置に対して、情報処理装置を介してセキュア印刷を設定する方法であって、
前記情報処理装置の使用者以外の他者が前記画像形成装置を使用可能であるか否かの他者使用情報を、前記情報処理装置が外部装置から取得する取得手順と、
前記画像形成装置を使用可能であるとの前記他者使用情報が取得された場合、あるいは前記画像形成装置を使用可能でないとの前記他者使用情報が取得されない場合、前記セキュアモードにて前記画像形成装置を動作させる初期設定で、前記画像形成装置を制御するドライバを前記情報処理装置にインストールさせ、前記画像形成装置を使用可能であるとの前記他者使用情報が取得されない場合、あるいは前記画像形成装置を使用可能でないとの前記他者使用情報が取得された場合、前記通常モードにて前記画像形成装置を動作させる初期設定で前記ドライバを前記情報処理装置にインストールさせるインストール手順と、
を含む、セキュア印刷設定方法。
【発明の詳細な説明】
【技術分野】
【０００１】
本発明は、パーソナルコンピュータ等の情報処理装置を介してプリンタにおいてセキュア印刷を行う際の、セキュア印刷設定用プログラムおよびセキュア印刷設定方法に関する。
【背景技術】
【０００２】
プリンタのセキュア印刷に関して、例えば特許文献１に、プリンタドライバインストール時、プリンタがネットワーク接続されている場合、セキュア印刷設定をＯＮにした上で、インストールを実行する技術が開示されている。
【先行技術文献】
【特許文献】
【０００３】
【特許文献１】特開２００９−０８６９０５号公報
【発明の概要】
【発明が解決しようとする課題】
【０００４】
しかしながら、上記文献の例では、プリンタドライバをインストールしようとしているユーザ以外のネットワークプリンタの利用が無い場合であっても、すなわち、他のユーザに印刷物を見られたり持って行かれたりされる可能性が高くない場合であっても、印刷時にパスワード入力等の操作を要求されるセキュア印刷設定がＯＮになっている。そのため、必要以上に印刷時の操作性が低下する虞があった。
【０００５】
本発明は、印刷時における機密性と操作性とのバランスを良好に保つ技術を提供するものである。
【課題を解決するための手段】
【０００６】
上記の技術を提供するための手段として、第１の発明に係るセキュア印刷設定用プログラムは、ユーザ認証に成功すると被記録媒体への画像形成を実行するセキュアモードと前記ユーザ認証を行わずに前記画像形成を実行する通常モードとを有する画像形成装置を、情報処理装置によって制御するためのセキュア印刷設定用プログラムであって、前記情報処理装置の使用者以外の他者が前記画像形成装置を使用可能であるか否かの他者使用情報を、前記情報処理装置が外部装置から取得する取得手順と、前記画像形成装置を使用可能であるとの前記他者使用情報が取得された場合、あるいは前記画像形成装置を使用可能でないとの前記他者使用情報が取得されない場合、前記セキュアモードにて前記画像形成装置を動作させる初期設定で、前記画像形成装置を制御するドライバを前記情報処理装置にインストールさせ、前記画像形成装置を使用可能であるとの前記他者使用情報が取得されない場合、あるいは前記画像形成装置を使用可能でないとの前記他者使用情報が取得された場合、前記通常モードにて前記画像形成装置を動作させる初期設定で前記ドライバを前記情報処理装置にインストールさせるインストール手順と、を前記情報処理装置に実行させる。
【０００７】
本構成によれば、他者使用情報が取得された場合、すなわち、セキュア印刷をＯＮにする可能性が高い、他のユーザも画像形成装置を使用する状況では、セキュア印刷をＯＮにする操作を省略できる。一方、他者使用情報が取得されない場合、すなわち、セキュア印刷をＯＮにする可能性が（上述の状況よりも）低い、他のユーザが画像形成装置を使用しない状況では、セキュア印刷をＯＦＦにしたり余計なユーザ認証を行ったりする操作を省略できる。そのため、印刷時における機密性と操作性とのバランスを良好に保つことができる。  
なお、ここで「ドライバのインストール」は、単に、ドライバプログラムが情報処理装置の所定の記憶装置に格納されることを意味するのではなく、ドライバプログラムが記憶装置に格納された後において、ドライバプログラム内の所定ファイル、例えば、セキュア設定ファイルを初期設定することも含む。
【０００８】
第２の発明は、第１の発明のセキュア印刷設定用プログラムにおいて、前記ドライバのインストール時にインストール済み情報を作成する作成手順を、さらに前記情報処理装置に実行させる。
本構成によれば、他の情報処理装置のユーザが、ネットワーク上のインストール済み情報処理装置をチェックする際にインストール済み情報を利用できる。
【０００９】
第３の発明は、第２の発明のセキュア印刷設定用プログラムにおいて、前記取得手順は、前記他者使用情報として、前記インストール済み情報を取得する処理を含む。
本構成によれば、他の情報処理装置にドライバがインストールされているとの情報によって、他の情報処理装置が画像形成装置を使用可能であるとの情報を取得できる。
【００１０】
第４の発明は、第２または第３のセキュア印刷設定用プログラムにおいて、画像形成装置に登録させるために、作成したインストール済み情報を画像形成装置へ送信する登録送信手順を、さらに前記情報処理装置に実行させ、前記取得手順は、前記外部装置としての前記画像形成装置から前記他の情報処理装置のインストール済み情報を取得する処理を含む。
本構成によれば、画像形成装置にアクセスするだけでインストール済み情報を取得できる。
【００１１】
第５の発明は、第２から第４のいずれか一つの発明のセキュア印刷設定用プログラムにおいて、前記インストール済み情報が作成された旨を、前記ドライバをインストール済みの他の情報処理装置に報知する報知手順を、さらに前記情報処理装置に実行させる。
本構成によれば、他の情報処理装置（ユーザ）に対し、自身の情報処理装置も画像形成装置を使用することを知らせることができる。
【００１２】
第６の発明は、第５の発明のセキュア印刷設定用プログラムにおいて、前記報知手順は、前記ドライバがインストール済みの他の情報処理装置が１つである場合、当該他の１つの情報処理装置に、前記インストール済み情報が作成された旨を報知する処理を含む。
本構成によれば、ドライバインストール済みの他の情報処理装置にとって、他に画像形成装置を使用する情報処理装置が無い状況から有る状況に変わるという、より機密性が変化するタイミングで、新たなドライバインストール済み情報を報知することができる。
【００１３】
第７の発明は、第５または第６のセキュア印刷設定用プログラムにおいて、前記インストール済み情報が作成された旨を受信する受信手順と、前記インストール済み情報の受信後、前記セキュアモードにて前記画像形成装置を動作させる設定を行う設定手順とを、さらに前記情報処理装置に実行させる。
本構成によれば、他の情報処理装置も同じ画像形成装置を使用する状況になったときに、機密性を維持することが可能となる。
【００１４】
第８の発明は、第２から第７のいずれか一つの発明のセキュア印刷設定用プログラムにおいて、前記インストール済み情報はセキュリティレベル情報を含み、前記インストール手順は、他の情報処理装置のセキュリティレベルが自身のセキュリティレベルより低い場合、前記セキュアモードにて前記画像形成装置を動作させる設定で前記ドライバを前記情報処理装置にインストールさせる処理を含む。
本構成によれば、セキュリティレベルの異なる複数のユーザが同じ画像形成装置を使用する状況であっても、印刷時における機密性と操作性とのバランスを良好に保つことができる。
【００１５】
また、第９の発明に係るセキュア印刷設定方法は、ユーザ認証に成功すると被記録媒体への画像形成を実行するセキュアモードと前記ユーザ認証を行わずに前記画像形成を実行する通常モードとを有する画像形成装置に対して、情報処理装置を介してセキュア印刷を設定する方法であって、前記情報処理装置の使用者以外の他者が前記画像形成装置を使用可能であるか否かの他者使用情報を、前記情報処理装置が外部装置から取得する取得手順と、前記画像形成装置を使用可能であるとの前記他者使用情報が取得された場合、あるいは前記画像形成装置を使用可能でないとの前記他者使用情報が取得されない場合、前記セキュアモードにて前記画像形成装置を動作させる初期設定で、前記画像形成装置を制御するドライバを前記情報処理装置にインストールさせ、前記画像形成装置を使用可能であるとの前記他者使用情報が取得されない場合、あるいは前記画像形成装置を使用可能でないとの前記他者使用情報が取得された場合、前記通常モードにて前記画像形成装置を動作させる初期設定で前記ドライバを前記情報処理装置にインストールさせるインストール手順とを含む。
【発明の効果】
【００１６】
本発明のセキュア印刷設定用プログラムおよびセキュア印刷設定方法によれば、印刷時における機密性と操作性とのバランスを良好に保つことができる。
【図面の簡単な説明】
【００１７】
【図１】印刷システムの構成を示す概略的なブロック図
【図２】インストール処理の処理手順を示したフローチャート
【図３】ステータスモニタでのセキュア印刷設定画面を示す説明図
【発明を実施するための形態】
【００１８】
＜実施形態＞
本発明の一実施形態について図１〜図２を参照して説明する。
【００１９】
１．印刷システムの構成
図１は、印刷システム１の構成を示す概略的なブロック図である。印刷システム１は、スキャナ機能、プリンタ（印刷）機能、コピー機能、ファクシミリ機能などを有する複合機２（画像形成装置および外部装置の一例）、１台以上のパーソナルコンピュータ（情報処理装置の一例）３，３Ａ、およびＬＡＮ（Local Area Network）などの電気通信回線４などで構成されている。
【００２０】
なお、画像形成装置として複合機に限られず、画像形成装置は、例えば、単に印刷機能を有するレーザプリンタあるいはＬＥＤプリンタ等であってもよい。また、情報処理装置としてパーソナルコンピュータに限られず、情報処理装置は、例えば、特定用途向けの業務用コンピュータであってもよい。
【００２１】
１−１．複合機の電気的構成
複合機２は、制御部１１、記憶部１２、プリンタ部１３、スキャナ部１４、ファクシミリ部１５、操作部１６、およびネットワークインターフェース１７を含む。
【００２２】
制御部１１は、ＣＰＵ、ＲＯＭ、ＲＡＭなどを含む。ＣＰＵはＲＯＭに記憶されている各種のプログラムを実行することにより複合機２の各部を制御する。ＲＯＭはＣＰＵが実行するための各種のプログラムやデータなどを記憶している。ＲＡＭはＣＰＵが各種の処理を実行するための主記憶装置として用いられる。
【００２３】
例えば、ＲＯＭには、複合機２のプリンタ部１３によって画像形成処理を実行するための印刷処理プログラムが格納されている。制御部１１は、パーソナルコンピュータ（以下、単に「コンピュータ」という）３，３Ａから取得した印刷データに従って、印刷に係る動作モードを決定し、決定された動作モードによって印刷データに基づく画像を記録媒体に印刷する。
【００２４】
なお、本実施形態では、動作モードとして、印刷データがネットワークインタフェース１７を介して取得されると、印刷データをコンピュータ３，３Ａから複合機２へ発信した発信者（ユーザ）を未認証のまま画像を形成する通常モード（本発明の「通常モード」に相当）と、印刷データがネットワークインタフェース１７を介して取得され、かつ印刷データの発信者が認証されると画像を形成するセキュアモード（本発明の「セキュアモード」に相当）が用意されている。即ち、複合機２は、印刷データに基づく記録媒体への印刷を実行する際の動作モードとして、通常モードと、セキュアモードとの少なくとも２つのモードを有した周知の複合機２である。
【００２５】
また、複合機２の制御部１１は、コンピュータ３からプリンタドライバのインストール済み情報（「他者使用情報」の一例）の登録要求があった場合、インストール済み情報を記憶部１２の所定記憶領域に格納し、登録する。その際、他のコンピュータ３Ａからのインストール済み情報の登録が既にされているかどうかを判定する。登録が既にされている場合には、制御部１１は、既に登録されている他のコンピュータ３Ａに対して、コンピュータ３のユーザから新たな登録があったことを通知する。なお、複合機２によるこの登録通知処理は任意である。
【００２６】
記憶部１２は、ハードディスクやフラッシュメモリなどの不揮発性の記憶媒体を用いて各種のデータを記憶する外部記憶装置であり、パーソナルコンピュータ３から送信される印刷要求やセキュア情報などを記憶する。
プリンタ部１３は、ページデータに基づいて紙などの被記録媒体上にレーザー方式やインクジェット方式などで画像を形成する。
【００２７】
スキャナ部１４は、光源やラインセンサなどを有し、光源に照射された原稿をラインセンサにより読み取って画像データを生成する。
ファクシミリ部１５は、電話回線を通じて交換機に接続されており、外部のファクシミリ装置との間で所定の通信プロトコルに従ってファクシミリデータを送受信する。
【００２８】
操作部１６は、複数のボタンや液晶ディスプレイなどを含む。ユーザは例えば液晶ディスプレイに表示される画面を参照しつつボタンを操作することにより各種の操作を行うことができる。  
ネットワークインターフェース１７は、電気通信回線４を介してコンピュータ３，３Ａなどの外部の機器と接続されている。
【００２９】
１−２．コンピュータの電気的構成
コンピュータ３は、ＣＰＵ１８、ＲＯＭ１９、ＲＡＭ２０、記憶部２１、表示部２２、操作部２３、およびネットワークインターフェース２４を含む。
【００３０】
ＣＰＵ１８は、ＲＯＭ１９に記憶されている各種のプログラムを実行することによりコンピュータ３の各部を制御する。ＲＯＭ１９はＣＰＵ１８が実行するための各種のプログラムやデータなどを記憶している。ＲＡＭ２０はＣＰＵ１８が各種の処理を実行するための主記憶装置として用いられる。
【００３１】
記憶部２１は、ハードディスクやフラッシュメモリなどの不揮発性の記憶媒体を用いて各種のプログラムやデータを記憶する外部記憶装置である。また、記憶部２１には、例えば、ＣＤ−ＲＯＭ３０に記憶されたデバイスドライバ３１ａ，３１ｂおよびインストールプログラム３２が格納される。
【００３２】
表示部２２は、液晶ディスプレイなどの表示装置を含む。操作部２３は、マウスやキーボードなどを含む。ネットワークインターフェース２４は、電気通信回線４を介して複合機２および他のコンピュータ３Ａなどの外部機器と接続される。
【００３３】
このようなコンピュータ３の構成において、ＣＰＵ１８は、ユーザがワードプロセッサなどのアプリケーションプログラムで［印刷］を選択するとデバイスドライバ３１ａ，３１ｂを実行して印刷要求を設定するための設定ウィンドウ（図示せず）を表示し、ユーザが印刷要求を設定するとネットワークインターフェース２４を介して複合機２にその印刷要求を送信する。印刷要求が複合機２のネットワークインターフェース１７によって受信されることにより複合機２に印刷要求が入力される。
【００３４】
その際、複合機２の他のユーザによって印刷結果を見られることを避けるセキュア印刷を行う場合は、ユーザは、コンピュータ３において、例えば、セキュア印刷を設定する設定ウィンドウにおいて、セキュア印刷をＯＮに設定し、印刷パスワードを入力する。コンピュータ３は、印刷要求、印刷データとともに、セキュア印刷および印刷パスワードに関する情報データを複合機２に送信する。複合機２は、コンピュータ３から送信された印刷パスワードと、印刷要求ユーザによって操作部１６から入力される印刷パスワードとの照合によってユーザ認証を行い、ユーザ認証が成功すると、印刷データに基づく画像を印刷する。
【００３５】
２．ドライバインストール処理
次に、図２を参照して、インストールプログラムに従ってＣＰＵ１８が実行するデバイスドライバのインストール処理について説明する。図２は、インストール処理の処理手順を示したフローチャートである。インストール処理は、ＣＤ−ＲＯＭ３０がコンピュータ３のデータ読出装置（図示せず）に挿入され、ＣＤ−ＲＯＭ３０がインストールプログラム（「セキュア印刷設定用プログラム」の一例）３２が読み出されると、インストールプログラム３２にしたがって、ＣＰＵ１８により実行される。なお、インストールプログラム３２は、本発明によるセキュア印刷設定用プログラムの一部を構成するものである。
【００３６】
なお、ここで言うネットワークドライバ（デバイスドライバ）３１ａのインストールとは、以下の周知のことを含む。すなわち、複合機２の印刷機能を制御する時にコンピュータ３が参照する設定ファイルが作成される。そして、作成された設定ファイルと、ネットワークドライバ３１ａに含まれ、複合機２を制御するためのドライバ構成ファイルとが、ＯＳが管理する記憶部２１の特定の場所(例えば、システムフォルダ)に格納される。これと共に、それらのファイルと複合機２との対応関係（例えば、ファイルの参照先）等からなるデバイス情報が記憶部２１内のレジストリに登録される。
【００３７】
次に、本実施形態に特有のインストール処理を要約すると、インストールプログラム３２にしたがって、コンピュータ（「情報処理装置」の一例）３のＣＰＵ１８は、コンピュータ３の使用者以外の他者が複合機（「画像形成装置」の一例）２を使用可能であるか否かの他者使用情報を、複合機（「外部装置」の一例）２から取得する取得手順を実行する。次いで、ＣＰＵ１８は、複合機２を使用可能であるとの他者使用情報が取得された場合、セキュアモードにて複合機２を動作させる初期設定で、コンピュータ３を制御するネットワークドライバ３１ａをコンピュータ３にインストールする。一方、複合機２を使用可能であるとの他者使用情報が取得されない場合、通常モードにて複合機２を動作させる初期設定でネットワークドライバ３１ａをコンピュータ３にインストールする。
【００３８】
また、ＣＰＵ１８は、ネットワークドライバ３１ａのインストールとともに、ステータスモニタをコンピュータ３にインストールする。ステータスモニタは、ネットワークに接続された複合機２やコンピュータ３，３Ａに定期的に問い合わせ、問い合わせ先からトナー残量や記録媒体の有無等のステータス情報を取得して表示するプログラムである。
【００３９】
さて、本実施形態のインストール処理が実行されると、まず、ＣＰＵ１８は、図２のステップＳ１１０において、表示部２２を介して、ユーザに複合機２とコンピュータ３との接続形態、すなわち、接続形態に対応したインターフェースを選択させる。インターフェースとしては、例えば、ＬＡＮ（ローカルエリアネットワーク）を介してネットワーク接続される場合の、ネットワークインターフェースと、ＵＳＢケーブルを介してローカル接続される場合の、ローカルインターフェースとがある。
【００４０】
ネットワークインターフェースが選択されると（ステップＳ１１５：ＹＥＳ）、ＣＰＵ１８は、ステップＳ１２５において、ネットワークドライバ３１ａをコンピュータ３の記憶部２１に格納する。一方、ローカルインターフェースが選択されると（ステップＳ１１５：ＮＯ）、ステップＳ１２０において、ローカルドライバ３１ｂをコンピュータ３に格納する。この場合、ＣＰＵ１８は、ステップＳ１４５において、セキュア印刷をＯＦＦに初期設定してインストール処理を終了する。ローカル接続される場合、セキュア印刷の必要性が低いからである。なお、セキュア印刷の初期設定は、記憶部２１の所定境域の設定ファイルに設定される。
【００４１】
一方、ネットワーク接続される場合は、ステップＳ１３０において、ＣＰＵ１８は、ネットワークドライバ３１ａのコンピュータ３へのインストール済み情報を作成する（「作成手順」に相当）。そして、作成したインストール済み情報をデバイス、すなわち複合機２に登録するため、インストール済み情報を複合機２に送信する（「登録送信手順」に相当）。送信されたインストール済み情報は、複合機２に登録される。なお、インストール済み情報は、例えば、ユーザ名、コンピュータ名、あるいはＴＣＰ／ＩＰアドレスを用いて作成される。
【００４２】
次いで、ステップＳ１３５において、ネットワークドライバ３１ａをインストールした他のユーザ（本発明における「情報処理装置の使用者以外の他者」に相当）のインストール済み情報（「他者使用情報」の一例）を、複合機２から取得する（「取得手順」に相当）。なお、本実施形態においては、他のユーザ（コンピュータ３Ａ）のインストール済み情報は、上記したように、コンピュータ３の登録に要求に応じて、複合機２から通知される。
【００４３】
インストール済み情報が取得された場合、他のコンピュータ３Ａにネットワークドライバ３１ａがインストールされているとの情報によって、他のコンピュータ３Ａが複合機２を使用可能であるとの情報を取得できる。また、単に、複合機２にアクセスするだけでインストール済み情報を取得できる。なお、インストール済み情報は、複合機２からに限られず、例えば、他のコンピュータ（「外部装置」の一例）３Ａから取得するようにしてもよい。この場合、コンピュータ３にインストールされたステータスモニタが他のコンピュータ３Ａにインストールされたステータスモニタに問い合わせ要求を送信し、問い合わせ要求を受信した他のコンピュータ３Ａのステータスモニタがレジストリまたは設定ファイル内に記憶されたネットワークドライバ３１ａのインストール済み情報をコンピュータ３に応答することにより、コンピュータ３のステータスモニタがインストール済み情報を取得する。
【００４４】
複合機２に登録された他のユーザのインストール済み情報が無い場合（ステップＳ１４０：ＮＯ）、ステップＳ１４５において、ＣＰＵ１８は、セキュア印刷をＯＦＦに初期設定して、すなわち、通常モードにて複合機２を動作させる初期設定（「インストール手順」に相当）を行ってインストール処理を終了する。これは、ネットワーク接続の場合であっても、複合機２にインストール済み情報が登録された他のユーザがいない場合、印刷物を他人に見られる頻度が低いと考えられるからである。
【００４５】
一方、他のユーザのインストール済み情報がある場合（ステップＳ１４０：ＹＥＳ）、ステップＳ１５０において、セキュア印刷をＯＮに初期設定する。すなわち、ＣＰＵ１８は、セキュアモードにて複合機２を動作させる初期設定（「インストール手順」に相当）を行う。そして、ＣＰＵ１８は、セキュア印刷をする際に印刷パスワードが必要とされる場合、例えば、図３に示すような印刷パスワードを設定するための画面を表示部２２に自動的に表示させる。そのため、ネットワークドライバ３１ａのインストール時に、セキュア印刷がＯＮに初期設定されるとともに、ユーザは印刷パスワードを入力するための画面を表示するための操作を行う必要がない。
【００４６】
操作部１６からのユーザによる印刷パスワードの入力がある場合（ステップＳ１５５：ＹＥＳ）、ステップＳ１６０において印刷パスワードを、記憶部２１の所定領域に設定する。設定された印刷パスワードは、印刷時、ユーザＩＤおよびセキュア印刷ＯＮ情報とともに、印刷データのヘッダ部として、コンピュータ３から複合機２に送信される。そして、複合機２において、コンピュータ３からの印刷パスワードと操作部１６から入力される印刷パスワードとの照合によってユーザ認証が行われ、ユーザ認証が成功すると、印刷データに基づく画像が印刷される。なお、印刷データが、コンピュータ３から複合機２に送信される際、セキュア印刷ＯＮ／ＯＦＦ情報は、動作フラグとして作成されてもよい。
【００４７】
一方、ユーザによる印刷パスワードの入力がない場合（ステップＳ１５５：ＮＯ）、印刷パスワードを設定せずに処理を終了する。なお、コンピュータ３での印刷パスワードの入力は、例えば、表示部２２に表示されたセキュア印刷設定画面のパスワード入力欄へのユーザによるパスワード入力によって行われる。また、初期設定後のセキュア印刷のＯＮ・ＯＦＦの設定変更も、表示部２２に表示されたセキュア印刷設定画面によって行われる。
【００４８】
３．実施形態の効果
上記したように、ネットワークドライバ３１ａをコンピュータ３にインストールする際において、他のユーザのインストール済み情報（他者使用情報）が取得された場合、セキュアモードにて複合機２（画像形成装置）を動作させるために、コンピュータ３において、セキュア印刷がＯＮに初期設定される。そのため、セキュア印刷をＯＮにする可能性が高い、他のユーザも複合機２を使用する状況において、セキュア印刷をＯＮにする操作を省略できる。一方、他者使用情報が取得されない場合、すなわち、セキュア印刷をＯＮにする可能性が低い、他のユーザが複合機２を使用しない状況では、セキュア印刷をＯＦＦにしたり余計なユーザ認証を行ったりする操作を省略できる。そのため、印刷時における機密性と操作性とのバランスを良好に保つことができる。
【００４９】
＜他の実施形態＞
本発明は上記記述及び図面によって説明した実施形態に限定されるものではなく、例えば次のような実施形態も本発明の技術的範囲に含まれる。
【００５０】
（１）上記実施形態において、さらに、他のコンピュータ３Ａのユーザが複合機２を使用可能でないとの他者使用情報が取得されない場合、セキュア印刷をＯＮ（セキュアモード）に初期設定可能とするようにしてもよい。この場合、他のコンピュータ３Ａのユーザが複合機２を使用する可能性があるため、セキュア印刷が有効となるからである。また、さらに、他のコンピュータ３Ａのユーザが複合機２を使用可能でないとの他者使用情報が取得された場合、セキュア印刷をＯＦＦ（通常モード）に初期設定可能とするようにしてもよい。この場合、他のユーザが複合機２を使用する可能性がないため、セキュア印刷をする必要がないからである。
【００５１】
（２）上記実施形態においては、他者使用情報を、ネットワークドライバ３１ａのインストール済み情報とする例を示したがこれに限られない。他者使用情報は、例えば、他のコンピュータ３ＡのＬＡＮ接続情報であってもよい。すなわち、通常、他のコンピュータ３ＡがＬＡＮに接続されていれば、他のコンピュータ３Ａが画像形成装置に接続されている確率は高いと言える。
【００５２】
また、コピー、ＦＡＸ、スキャン、ＰＣプリント等の複数の機能を有する画像形成装置（複合機）では、ユーザ毎に使用できる機能、使用できない機能を管理者等が設定できる機能（利用制限機能）を持つ画像形成装置も有る。そして、本発明の取得手順は、他者に何らかの機能の使用許可が設定された情報を、「他者使用情報」として画像形成装置（外部装置）から取得することも含む。このような他者使用情報として、例えば、複合機に登録されたスキャンデータの保存先情報を他者使用情報とすることもできる。
【００５３】
（３）上記実施形態において、インストール済み情報が作成された旨を、ネットワークドライバ３１ａをインストール済みの他のコンピュータ３Ａ（「他の情報処理装置」の一例）に報知する報知手順を、さらにコンピュータ３（「情報処理装置」の一例）に実行させるようにしてもよい。すなわち、セキュア印刷設定用プログラムは報知手順を含んでもよい。この場合、他のコンピュータ３Ａに対し、コンピュータ３（自身の情報処理装置）も複合機２（画像形成装置）を使用することを知らせることができる。
【００５４】
その際、好ましくは、報知手順は、ネットワークドライバ３１ａがインストール済みの他のコンピュータ３Ａが１つである場合に、当該他の１つのコンピュータ３Ａに、コンピュータ３においてインストール済み情報が作成された旨を報知することを含むようにしてもよい。この場合、ドライバインストール済みの他の１つのコンピュータ３Ａにとって、他に複合機２を使用するコンピュータ３，３Ａが無い状況から有る状況に変わるという、より機密性が変化するタイミングで、新たなドライバインストール済み情報を他の１つのコンピュータ３Ａに報知することができる。
【００５５】
上記報知手順を含む構成において、報知手順によって報知されるインストール済み情報が作成された旨を、受信する受信手順と、受信手順によるインストール済み情報の受信後に、セキュアモードにて複合機２を動作させる設定を行う設定手順とを、さらにコンピュータ３に実行させるようにしてもよい。すなわち、セキュア印刷設定用プログラムは受信手順と設定手順とを含んでもよい。なお、その際、セキュアモードにて複合機２を動作させる設定はユーザを介さずに自動で設定されるようにしてもよいし、セキュアモード設定画面を表示部２２に表示させて、ユーザによってセキュアモードの設定を選択させるようにしてもよい。この場合、他のコンピュータ３Ａも同じ複合機２を使用する状況になったときに、機密性を維持することが可能となる。
【００５６】
（４）また、インストール済み情報を得る手段を、上記報知手順に替えて、印刷に係るステータスモニタとするようにしてもよい。すなわち、ドライバインストール済みの各コンピュータ３，３Ａが、印刷に係るステータスモニタを有する場合、各コンピュータ３，３Ａがステータスモニタによって、複合機２に、インストール済み情報を定期的に確認しに行くようにしてもよい。また、複合機２を介さずに、ステータスモニタによって、直接、他のコンピュータ３Ａ（「外部装置」の一例）からインストール済み情報を取得するようにしてもよい。
そして、例えば、図３に示すように、ステータスモニタによって、セキュア印刷の設定に係る画面を表示部２２に表示して、セキュア印刷をＯＮにするか否かの選択、およびパスワードの入力をユーザにさせるようにしてもよい。すなわち、セキュア印刷設定用プログラムはステータスモニタを含んでもよい。
【００５７】
（５）上記実施形態および他の実施形態において、インストール済み情報はセキュリティレベル情報を含むようにしてもよい。そして、インストール手順は、他のコンピュータ（他の情報処理装置）３Ａのセキュリティレベルがコンピュータ（自身）３のセキュリティレベルより低い場合、セキュアモードにて複合機（画像形成装置）２を動作させる設定を伴って、ネットワークドライバ３１ａをコンピュータ（情報処理装置）３にインストールさせる処理を含むようにしてもよい。この場合、セキュリティレベルの異なる複数のユーザが同じ複合機２を使用する状況であっても、印刷時における機密性と操作性とのバランスを良好に保つことができる。
【００５８】
（６）上記実施形態のステップＳ１４０とステップＳ１５０の間において、コンピュータ３の表示部２２にセキュア印刷設定画面を表示させて、ユーザにセキュア印刷を初期設定するかどうかをユーザに再確認させるようにしてもよい。この場合、インストール済み情報（他者使用情報）が有る場合であっても、必ずしもセキュア印刷をする必要のない場合においては、セキュア印刷をＯＦＦに初期設定を変更することができる。
【符号の説明】
【００５９】
２…複合機
３，３Ａ…パーソナルコンピュータ
２２…表示部
２３…操作部
３２…インストールプログラム
【図１】
2011076462.tif 000003
【図２】
2011076462.tif 000004
【図３】
2011076462.tif 000005